(57)【要約】【課題】防犯性を高めたセキュリティインターホンシステムを提供する。【解決手段】セキュリティインターホンシステムＡは、住居外の玄関などに設置されるドアホン２と、住居内に設置されてドアホン２との間で通話を行うインターホン親機１とを備える。ドアホン２は、インターホン親機１を呼び出すための呼出ボタン６が設けられ、インターホン親機１は、ドアホン２からの呼出信号に応じてドアホン２との間で通話を行うための応答ボタン７が設けられるとともに、警戒モードまたは非警戒モードの何れかに設定するためのモード設定スイッチ８が設けられている。このセキュリティインターホンシステムＡでは、インターホン親機１が非警戒モードに設定されている状態において、ドアホン２の呼出ボタン６が押された後所定時間の間に応答ボタン７が押されない場合、インターホン親機１に設けたモード切替手段により非警戒モードから警戒モードに切り替えられる。【選択図】図１
2009193537.tif 000002
【特許請求の範囲】
【請求項１】
防犯センサと、防犯センサからの検知信号を受信すると警報を発する警戒モードまたは防犯センサからの検知信号に関わらず警報を発しない非警戒モードの何れか一方に設定するためのモード設定操作手段を具備したインターホン親機と、呼出ボタンが設けられ前記インターホン親機に接続されるドアホンとを備え、前記インターホン親機は前記ドアホンからの呼出信号に応答する応答ボタンを有し、前記モード設定操作手段により非警戒モードに設定されている状態において、前記呼出ボタンが押された後所定時間の間に前記応答ボタンが押されない場合、非警戒モードから警戒モードに切り替えるモード切替手段を前記インターホン親機に設けたことを特徴とするセキュリティインターホンシステム。
【発明の詳細な説明】
【技術分野】
【０００１】
本発明は、セキュリティインターホンシステムに関するものである。
【背景技術】
【０００２】
従来より、センサを用いて住宅などの防犯を行うセキュリティシステムが提供されており（例えば特許文献１、２参照）、特に特許文献２に記載されたセキュリティ防犯システムでは、センサからの検知信号を受信すると警報（例えば、警報音など）を発する警戒モードと、センサからの検知信号に関わらず警報を発しない非警戒モードとが切り替えられるようになっている。
【特許文献１】特開平７−１４６９９３号公報（段落［００２１］−段落［００２２］、及び、第１図）
【特許文献２】特開平５−２９８５６３号公報（段落［０００９］−段落［００１６］、及び、第３図）
【発明の開示】
【発明が解決しようとする課題】
【０００３】
上述した後者の特許文献２に示したセキュリティ防犯システムでは、外出する際に警戒モードに設定することによって不審者の侵入を防止できるものではあるが、例えば外出の際に警戒モードに設定するのを忘れた場合、不審者の侵入を許す虞があった。
【０００４】
本発明は上記問題点に鑑みて為されたものであり、その目的とするところは、防犯性を高めたセキュリティインターホンシステムを提供することにある。
【課題を解決するための手段】
【０００５】
請求項１の発明は、防犯センサと、防犯センサからの検知信号を受信すると警報を発する警戒モードまたは防犯センサからの検知信号に関わらず警報を発しない非警戒モードの何れか一方に設定するためのモード設定操作手段を具備したインターホン親機と、呼出ボタンが設けられインターホン親機に接続されるドアホンとを備え、インターホン親機はドアホンからの呼出信号に応答する応答ボタンを有し、モード設定操作手段により非警戒モードに設定されている状態において、呼出ボタンが押された後所定時間の間に応答ボタンが押されない場合、非警戒モードから警戒モードに切り替えるモード切替手段をインターホン親機に設けたことを特徴とする。
【発明の効果】
【０００６】
請求項１の発明によれば、ドアホンの呼出ボタンが押された後所定時間の間にインターホン親機の応答ボタンが押されない場合、モード設定操作手段による設定状態に関わらずモード切替手段により非警戒モードから警戒モードへ切り替えられるので、家人が外出時に警戒モードに設定するのを忘れた場合でも、例えば不審者が家人の不在を確認するために呼出ボタンを押したり、警戒モードへの設定忘れに気付いた家人が呼出ボタンを押すことによって警戒モードに切り替えることができ、従来例と比較して防犯性を高めることができるという効果がある。
【発明を実施するための最良の形態】
【０００７】
本発明の実施形態を図１〜図４に基づいて説明する。本実施形態のセキュリティインターホンシステムＡは、例えば住宅などに設置されて不審者の侵入などを防止するために用いられるものである。
【０００８】
セキュリティインターホンシステムＡは、図１に示すように、住居外の玄関などに設置されるドアホン２と、住居内に設置されてドアホン２との間で通話を行うインターホン親機１と、住居に設けられた玄関ドア４や窓５に取着される複数（本実施形態では２個）の防犯センサ３とを備えている。
【０００９】
ドアホン２は、図２に示すように、例えばマイクロコンピュータからなる処理部２０と、インターホン親機１が接続されるインターホン接続部２１と、インターホン親機１との間の通話を制御する通話回路２２と、インターホン親機１を呼び出すための呼出ボタン６とを備えている。
【００１０】
処理部２０は、インターホン親機１との間で通話を行うための処理や、呼出ボタン６が押された場合にインターホン親機１に対して呼出信号を送信する処理などを行い、インターホン接続部２１を介してインターホン親機１から電源供給を受けるとともに、インターホン親機１に対して上記呼出信号を送信するように構成されている。また、通話回路２２は、インターホン親機１と通話するための回路であり、インターホン親機１から伝送されてきた音声信号を出力するスピーカーや音声を入力するためのマイクロホン（ともに図示せず）が接続されている。なお、本実施形態では、ドアホン２として従来周知のものを使用しており、詳細については説明を省略する。
【００１１】
一方、インターホン親機１は、図２に示すように、例えばマイクロコンピュータからなる処理部１０と、防犯センサ３が接続されるとともに接続された防犯センサ３の状態を判別するセンサ接続部１１と、例えば警報音を鳴動させる警報回路１２と、ドアホン２が接続されるドアホン接続部１３と、ドアホン２との間の通話を制御する通話回路１４と、応答ボタン７と、モード設定スイッチ８とを備えている。
【００１２】
処理部１０は、ドアホン２との間で通話を行うための処理や、モード設定スイッチ８の設定に応じて後述する警戒モードまたは非警戒モードの何れかに設定する処理や、警報回路１２を介して警報音を鳴動させる処理などを行い、ドアホン接続部１３を介してドアホン２に対して電源供給を行うとともに、ドアホン２からの呼出信号を検出するように構成されている。また、通話回路１４は、ドアホン２と通話するための回路であり、ドアホン２から伝送されてきた音声信号を出力するスピーカーや音声を入力するためのマイクロホン（ともに図示せず）が接続されている。なお、インターホン親機１とドアホン２との間は２線式の通信線Ｌｉ１を介して接続されており、当該通信線Ｌｉ１を介してインターホン親機１とドアホン２との間に通話路が形成される。
【００１３】
応答ボタン７は、ドアホン２との間の通話を開始するためのボタンであり、ドアホン２からの呼出信号が入力された際に押操作することで、インターホン親機１とドアホン２との間に通話路が形成され、スピーカーおよびマイクロホンを介して相互に通話できるようになっている。
【００１４】
モード設定スイッチ８は、本実施形態のセキュリティインターホンシステムＡの防犯に関わる動作モードを設定するためのスイッチであり、防犯センサ３からの検知信号を受信すると警報回路１２を介して警報音を鳴動させる警戒モード、または、防犯センサ３からの検知信号に関わらず警報音を鳴動させない非警戒モードの何れかのモードが設定されるようになっている。ここに、モード設定スイッチ８によりモード設定操作手段が構成されている。
【００１５】
防犯センサ３は、建物（本実施形態では、住居）内への不審者の侵入などを検知するためのものであって、図１および図２に示すように信号線Ｌｉ２を介してインターホン親機１のセンサ接続部１１に接続され、取着された玄関ドア４や窓５が開けられるとインターホン接続部１３に異常を知らせる検知信号を出力するように構成されている。
【００１６】
次に、インターホン親機１とドアホン２との間の通話手順について説明する。まず、ドアホン２の呼出ボタン６が押されると、インターホン親機１には通信線Ｌｉ１を介して呼出信号が入力される。インターホン親機１では、呼出信号が入力されると処理部１０が呼出回路（図示せず）から呼出音を鳴動させ、呼出音を聞いた住居人がインターホン親機１の応答ボタン７を押すと、インターホン親機１とドアホン２との間に通話路が形成されて、相互に通話できるようになる。
【００１７】
続けて、防犯センサ３が異常を検知した場合の動作について図３に基づいて説明する。例えば不審者により玄関ドア４や窓５が開けられると、防犯センサ３が異常を検知してインターホン親機１のセンサ接続部１１に検知信号が入力される（ステップＳ１）。インターホン親機１の処理部１０は、センサ接続部１１を介して上記検知信号が入力されると、モード設定スイッチ８により上記動作モードが警戒モードに設定されているか否かを判別し（ステップＳ２）、警戒モードに設定されている場合には警報回路１２を介して警報音を鳴動させる（ステップＳ３）。一方、上記動作モードが警戒モードに設定されていない場合、すなわち非警戒モードの場合、処理部１０は警報動作を行わない（ステップＳ４）。
【００１８】
ここで、本実施形態のセキュリティインターホンシステムＡでは、インターホン親機１の動作モードがモード設定スイッチ８により非警戒モードに設定されている状態において、呼出ボタン６が押された後所定時間（本実施形態では、例えば１分に設定）の間に応答ボタン７が押されない場合、モード設定スイッチ８による設定状態にも関わらず（すなわち、非警戒モードに設定されているにも関わらず）、上記動作モードを非警戒モードから警戒モードに切り替えるモード切替手段１０ａを処理部１０に設けており、以下に上記動作について図４に基づいて説明する。なお、本実施形態では、上記モード切替手段１０ａを処理部１０で実行されるプログラムにより構成しており、このプログラムは図示しないメモリに格納されている。
【００１９】
例えば、不審者がドアホン２の呼出ボタン６を押すと（ステップＳ５）、インターホン親機１のドアホン接続部１３には呼出信号が入力され、処理部１０ではドアホン接続部１３を介して呼出信号が入力されると、呼出回路を介して呼出音を鳴動させる（ステップＳ６）。その後、処理部１０は、応答ボタン７が押されたか否かを判別し（ステップＳ７）、応答ボタン７が押された場合には上述したようにドアホン２との間で通話できるようになる（ステップＳ８）。一方、応答ボタン７が押されない場合には、ステップＳ９に移行して処理部１０により時間が計測され、計測時間が所定時間（本実施形態では１分）を経過していない間はステップ７→ステップ９の動作を繰り返し、計測時間が所定時間を経過するとモード切替手段１０ａが非警戒モードから警戒モードに切り替える（ステップＳ１０）。なお、計測途中で応答ボタン７が押された場合には、ステップＳ８に移行してドアホン２との間で通話できるようになる。
【００２０】
而して、本実施形態のセキュリティインターホンシステムＡでは、ドアホン２の呼出ボタン６が押された後所定時間の間にインターホン親機１の応答ボタン７が押されない場合、モード設定スイッチ８による設定状態に関わらずモード切替手段１０ａにより非警戒モードから警戒モードへ切り替えられるので、家人が外出時に警戒モードに設定するのを忘れた場合でも、例えば不審者が家人の不在を確認するために呼出ボタン６を押したり、警戒モードへの設定忘れに気づいた家人が呼出ボタン６を押すことによって警戒モードに切り替えることができ、従来例と比較して防犯性を高めることができる。
【００２１】
なお、本実施形態では、防犯センサ３を玄関ドア４および窓５に取り付けた場合を例に説明したが、防犯センサ３の取付箇所は本実施形態に限定されるものではなく、使用環境などに応じて適宜設置すればよい。また、使用するセンサ数についても本実施形態に限定されるものではなく、適宜設定すればよい。
【００２２】
さらに、本実施形態では、不審者が呼出ボタン６を押した場合の動作について説明したが、例えば警戒モードへの設定忘れに気付いた家人が呼出ボタン６を押すことによって警戒モードに切り替えてもよい。この場合、呼出ボタン６を押すだけで警戒モードに設定することができるので、家の中に入ってモード設定スイッチ８により警戒モードに設定する手間を省くことができる。
【００２３】
また、本実施形態では、所定時間を１分とした場合を例に説明したが、所定時間は本実施形態に限定されるものではなく、使用環境などに応じて適宜設定すればよい。さらに、例えばインターホン親機１に所定時間を設定するための時間設定手段を設け、任意に設定できるように構成してもよい。
【００２４】
また、本実施形態では、音により警報を発するように構成しているが、警報手段として光を用いてもよく、さらに音および光の両方を用いて警報を発してもよい。
【図面の簡単な説明】
【００２５】
【図１】本実施形態のセキュリティインターホンシステムの概略システム図である。
【図２】同上に用いられるインターホン親機およびドアホンの概略ブロック図である。
【図３】同上の動作を説明するフローチャートである。
【図４】同上の動作を説明する別のフローチャートである。
【符号の説明】
【００２６】
１  インターホン親機
２  ドアホン
３  防犯センサ
６  呼出ボタン
７  応答ボタン
８  モード設定スイッチ（モード設定操作手段）
１０ａ  モード切替手段
Ａ  セキュリティインターホンシステム
【図１】
2009193537.tif 000003
【図２】
2009193537.tif 000004
【図３】
2009193537.tif 000005
【図４】
2009193537.tif 000006